(57)【要約】【課題】一つの入力キーに多数の機能を割り付けられる入力装置を提供する。【解決手段】押圧操作を受け付ける入力キー１０と、入力キー１０が受け付ける押圧操作の圧力を検出する圧力センサー２０と、情報を記憶する画像情報記憶回路５０と、画像情報記憶回路５０に記憶された情報を表示するディスプレー４０と、押圧操作を受け付けた入力キー１０に対応し圧力センサー２０からの検出信号に応じて、画像情報記憶回路５０から情報を読み出しディスプレー４０に表示する処理を行う制御回路３０と、を備え、圧力センサー２０は互いに直交する３軸方向の圧力を検出し、圧力のかかる方向に基づき制御回路３０が処理を行う。【選択図】図１
2011070260.tif 000002
【特許請求の範囲】
【請求項１】
押圧操作を受け付ける入力器と、
前記入力器が受け付ける押圧操作の圧力を検出する圧力検出器と、
情報を記憶する記憶器と、
前記記憶器に記憶された情報を表示する表示器と、
押圧操作を受け付けた前記入力器に対応し前記圧力検出器からの検出信号に応じて、前記記憶器から情報を読み出し前記表示器に表示する処理を行う制御器と、を備え、
前記圧力検出器は互いに直交する少なくとも２軸方向の圧力を検出し、前記圧力のかかる方向に基づき前記制御器が処理を行うことを特徴とする入力装置。
【請求項２】
請求項１に記載の入力装置において、
前記入力器の表面に対して垂直方向に働く押圧操作には閾値が設定され、閾値を超えたときに押圧操作がされたことを認識することを特徴とする入力装置。
【請求項３】
請求項１または２に記載の入力装置において、
前記圧力検出器が複数の圧力検出セルを備え、前記圧力検出セルが格子状に配置されていることを特徴とする入力装置。
【請求項４】
請求項３に記載の入力装置において、
前記入力器は指の形状に沿ったような凹形状に形成されていることを特徴とする入力装置。
【請求項５】
請求項３に記載の入力装置において、
前記入力器に押圧操作による圧力中心位置の移動に基づき、前記入力器上での押圧操作ですべりが発生したすべり方向を検出し、検出されたすべり方向に基づき前記制御器が処理を行うことを特徴とする入力装置。
【発明の詳細な説明】
【技術分野】
【０００１】
本発明は、入力器が押圧操作されることで入力が行われる入力装置に関する。
【背景技術】
【０００２】
携帯電話機などの小型電子機器は、ディスプレーと文字などの入力を行う入力キー（入力器）を備えている。これらの電子機器は小型化に対応して入力キーのサイズは小さく、操作や文字入力用のキー数はパーソナルコンピューターに比べると少ない。
このような小型電子機器は、入力キーを設置するスペースの制限から、ひとつのキーに多くの文字、記号や動作内容を対応つけて設定されている。
例えば、入力キーの押圧操作における押圧レベルの変化に応じてディスプレーの選択文字候補の表示切り替え、またはスクロール速度を変化させることなどを行う電子機器が知られている（特許文献１参照）。
【先行技術文献】
【特許文献】
【０００３】
【特許文献１】特開２００４−１９９３６１号公報
【発明の概要】
【発明が解決しようとする課題】
【０００４】
しかしながら、小型電子機器におけるさらなる小型化、多機能化の要求は潜在的にあり、入力キーを配置するスペースに制限があることから、さらに多くの機能を一つの入力キーに割り付けられることが期待されている。
【課題を解決するための手段】
【０００５】
本発明は上記課題の少なくとも一部を解決するためになされたものであり、以下の形態または適用例として実現することが可能である。
【０００６】
［適用例１］本適用例にかかる入力装置は、押圧操作を受け付ける入力器と、前記入力器が受け付ける押圧操作の圧力を検出する圧力検出器と、情報を記憶する記憶器と、前記記憶器に記憶された情報を表示する表示器と、押圧操作を受け付けた前記入力器に対応し前記圧力検出器からの検出信号に応じて、前記記憶器から情報を読み出し前記表示器に表示する処理を行う制御器と、を備え、前記圧力検出器は互いに直交する少なくとも２軸方向の圧力を検出し、前記圧力のかかる方向に基づき前記制御器が処理を行うことを特徴とする。
【０００７】
この構成によれば、入力器が受け付ける少なくとも互いに直交する２軸方向の圧力の方向に基づき、制御器が表示器に表示する処理を行う。
このことから、従来の入力キーに比べて、一つの入力キーに多数の機能を割り付けることが可能となる。そして、電子機器などの小型化に対応した入力装置を提供することができる。
【０００８】
［適用例２］上記適用例にかかる入力装置において、前記入力器の表面に対して垂直方向に働く押圧操作には閾値が設定され、閾値を超えたときに押圧操作がされたことを認識することが望ましい。
【０００９】
この構成によれば、入力器の表面に対して垂直方向に働く押圧操作には閾値が設定されている。このことは、他の方向への入力の際に入力器の表面に対して垂直方向にも圧力が加わるため、この方向の圧力には閾値を設けて閾値を超えたときに押圧操作を認識することで、圧力方向の誤検出を防止することができる。
【００１０】
［適用例３］上記適用例にかかる入力装置において、前記圧力検出器が複数の圧力検出セルを備え、前記圧力検出セルが格子状に配置されていることが望ましい。
【００１１】
この構成によれば、圧力検出器に圧力検出セルが格子状に配置されている。このことから、入力器が受け付けた押圧操作の圧力を精度よく検出することができる。
【００１２】
［適用例４］上記適用例にかかる入力装置において、前記入力器は指の形状に沿ったような凹形状に形成されていることが望ましい。
【００１３】
この構成によれば、入力器は指の形状に沿ったような凹形状に形成されている。このことから、指で入力装置を操作する場合、凹形状内に指を固定することができ、指の滑りなどによる押圧操作の誤検出を防止することができる。
【００１４】
［適用例５］上記適用例にかかる入力装置において、前記入力器に押圧操作による圧力中心位置の移動に基づき、前記入力器上での押圧操作ですべりが発生したすべり方向を検出し、検出されたすべり方向に基づき前記制御器が処理を行うことが望ましい。
【００１５】
この構成によれば、入力器上での押圧操作による圧力中心位置の移動をすべりとして判定し、そのすべりが発生した方向に基づき制御器が処理を行う。
このことから、入力器が受け付ける圧力の方向および、すべりが発生した方向に対して、それぞれ機能を割り付けることができ、一つの入力キーにさらに多数の機能を割り付けることが可能となる。
【図面の簡単な説明】
【００１６】
【図１】第１の実施形態の入力装置の構成を示す概略構成図。
【図２】第１の実施形態の入力装置を採用した電子機器の概略平面図。
【図３】第１の実施形態の圧力センサーの構成を示す模式平面図。
【図４】第１の実施形態の圧力検出セルの構成を示す模式斜視図。
【図５】第１の実施形態の圧力検出素子における圧力検出の原理を説明する断面図。
【図６】第１の実施形態の入力キーの押圧操作を説明する模式図。
【図７】第１の実施形態の電子機器のディスプレーに表示される画像表示を示す説明図。
【図８】入力キーの変形例における入力キーの構成を示す模式図。
【図９】第２の実施形態の入力装置の構成を示す概略構成図。
【図１０】すべり方向の検出手順を示すフローチャート。
【図１１】すべりの状態を示す模式図。
【図１２】入力キーへの操作を示す説明図。
【図１３】入力キーへの操作を示す説明図。
【図１４】入力キーへの操作を示す説明図。
【発明を実施するための形態】
【００１７】
以下、本発明を具体化した入力装置の実施形態について、ディスプレーに表示した画像に対する操作を例にとり図面に従って説明する。なお、以下の説明に用いる各図面では、各部材を認識可能な大きさとするため、各部材の寸法の割合を適宜変更している。
（第１の実施形態）
【００１８】
図１は本実施形態の入力装置の構成を示す概略構成図である。
入力装置１は押圧操作を受け付ける入力器としての入力キー１０と、入力キー１０の押圧操作の圧力を検出する圧力検出器としての圧力センサー２０と、情報を記憶する記憶器としての画像情報記憶回路５０と、画像情報記憶回路５０に記憶された情報を表示する表示器としてのディスプレー４０と、を備えている。さらに、押圧操作を受け付けた入力キー１０に対応し圧力センサー２０からの検出信号に応じて、押圧方向を判定する押圧方向判定部３１を有し、押圧方向判定部３１の判定結果に対して画像情報記憶回路５０から情報を読み出し、ディスプレー４０に表示する制御器としての制御回路３０を備えている。
圧力センサー２０は互いに直交する３軸方向の圧力を検出し、圧力のかかる方向に基づき制御回路３０が処理を行う。
【００１９】
図２は本実施形態の入力装置を採用した電子機器の概略平面図である。
フォトビューワーなどの電子機器６０には、画像などを表示するディスプレー４０を備え、画像の表示について操作を行う入力キー１０が設けられている。
入力キー１０の下方には圧力センサー２０が配置され、入力キー１０の押圧操作の圧力を直接検出できるように構成されている。また、図示しないが、電子機器６０の内部には画像情報を記憶する画像情報記憶回路および、ディスプレーに表示される画像を制御する制御回路が内蔵されている。
【００２０】
次に圧力センサーの構造および圧力検出の原理について説明する。
図３は圧力センサーの構成を示す模式平面図である。図４は一つの圧力検出セルの構成を示す模式斜視図である。
図３に示すように、圧力センサー２０は複数の圧力検出セル２０ａから構成されている。圧力検出セル２０ａは格子状に配置され、各圧力検出セル２０ａからは引き出し線を介して信号処理部２９に接続され、所定の信号処理が行われる。そして、この信号処理の結果が制御回路に出力される。
【００２１】
圧力検出セル２０ａは、図４に示すように、フレキシブル基板などの基板に３つの微小構造体の圧力検出素子２１，２２，２３を備えている。圧力検出素子２１，２２，２３はカンチレバー構造を有し、基板に固定される固定部２１ａ，２２ａ，２３ａと、端部が開放された可動部２１ｂ，２２ｂ，２３ｂと、を有している。また、圧力検出素子２１，２２，２３の幅方向に対して厚み寸法が十分に薄くなるように形成されており、可動部２１ｂ，２２ｂ，２３ｂが厚み方向に変形可能な構造である。
圧力検出素子２１，２２は、固定部２１ａ，２２ａから可動部２１ｂ，２２ｂが上方に約９０度折れ曲がって形成され、圧力検出素子２３は固定部２３ａと可動部２３ｂとが平面上に形成されている。
【００２２】
圧力検出素子２１，２２，２３は、その可動部２１ｂ，２２ｂ，２３ｂの変形方向が互いに直交する方向に設置されている。図示する直交座標系において、圧力検出素子２１の可動部２１ｂはＸ軸方向に変形可能であり、圧力検出素子２２の可動部２２ｂはＹ軸方向に変形可能であり、圧力検出素子２３の可動部２３ｂはＺ軸方向に変形可能である。そして、これらの圧力検出素子２１，２２，２３は、これらの変形方向の圧力を検出する。
なお、圧力検出素子２１，２２，２３はＳＯＩ（Ｓｉｌｉｃｏｎ  Ｏｎ  Ｉｎｓｕｌａｔｏｒ）ウエハーを利用して、ＭＥＭＳ（Ｍｉｃｒｏ  Ｅｌｅｃｔｒｏ  Ｍｅｃｈａｎｉｃａｌ  Ｓｙｓｔｅｍ）技術を用いて製作される。
【００２３】
そして、圧力検出素子２１，２２，２３の全体が粘弾性体２８内に埋め込まれている。粘弾性体２８はシリコンゲル材料のような粘弾性特性を有する粘弾性材料で構成されており、外部からの荷重により容易に変形可能である。
また、図示しないが、複数の圧力検出セル２０ａを覆う粘弾性体２８の表面にフィルムなどが貼り付けられ、入力キー１０および圧力センサー２０が一体となった構造となる。
【００２４】
図５は圧力検出素子における圧力検出の原理を説明する断面図である。
ここでは、圧力検出素子２１を用いて圧力検出の原理を説明する。
圧力検出素子２１は固定部２１ａが固定され、可動部２１ｂがＸ方向および−Ｘ方向に変形できるように構成されている。
そして、圧力検出素子２１の固定部２１ａと可動部２１ｂとを接続するヒンジ部２１ｃには、ピエゾ抵抗が設けられている。このヒンジ部２１ｃは、可動部２１ｂの動作による歪み（応力）が大きく現れる部分である。このことから、歪み（応力）に比例して抵抗値が変化するピエゾ抵抗により歪みを効率的に検出することが可能である。
【００２５】
また、圧力検出素子２１の全体が粘弾性体２８内に埋め込まれており、粘弾性体２８の表面に力が加わると粘弾性体２８が変形し、それに従って圧力検出素子２１がＸ軸方向に変形することになる。例えば、粘弾性体２８に矢印ａ方向の力が加わると、圧力検出素子２１の可動部２１ｂがＸ方向に変形する。
このようにして、Ｘ軸方向の圧力に対して圧力検出素子２１の可動部２１ｂが変形することでこのＸ軸方向の圧力を検出することができる。
【００２６】
同様に、互いに直交する方向に配置した圧力検出素子２２，２３の可動部２２ｂ，２３ｂがそれぞれの変形可能な方向に変形することで、Ｙ軸，Ｚ軸方向の圧力を検出することができる。
なお、本実施形態の圧力検出セル２０ａでは各軸方向の圧力を検出する圧力検出素子を各１つ設けたが、各軸方向の圧力検出に対してさらに多くの圧力検出素子を設けてもよい。
【００２７】
入力キーの押圧操作における圧力センサーにおける圧力方向の判定は、Ｘ，Ｙ，Ｚ軸のそれぞれで検出される応力の大きさが最も大きい軸の方向が押圧された方向とする。また、Ｘ，Ｙ軸方向の押圧操作において、Ｚ軸方向に力が加わるため、Ｚ軸方向との押圧操作に区別がつかないおそれのある場合には、Ｚ軸方向の圧力の判定において閾値を設定して、この閾値を超えたときにＺ軸方向に押圧操作がなされたことを認識すればよい。
【００２８】
次に上記の入力装置を用いて、フォトビューワーなどの電子機器の画像表示操作の一例について説明する。
図６は入力キーの押圧操作を説明する模式図であり、図６（ａ）は入力キーを上面から見た平面図、図６（ｂ）は入力キーを側面からみた側面図である。図７は電子機器のディスプレーに表示される画像表示を示す説明図である。
図６に示すように、入力キー１０の押圧操作は、表面が平面である入力キー１０の上に指を置いた状態で操作が行われる。指での入力キー１０の押圧方向は、Ｘ，−Ｘ，Ｙ，−Ｙ，Ｚ方向の５つの方向が設定でき、それぞれの方向において機能を割り付けることが可能である。
【００２９】
まず、指で入力キー１０をＺ方向に押圧する。入力キー１０の押圧力は圧力センサー２０で検出され、制御回路３０の押圧方向判定部３１により押圧方向がＺ方向であることを判定し、画像情報記憶回路５０から情報を読み出して、図７（ａ）に示すように、ディスプレー４０に画像を表示する。表示する画像は記憶された画像の記憶された順番の早いものからでも遅いものからでも、任意に設定できる。
また、この入力キー１０は一定時間以上のＺ方向の押圧によりディスプレー４０に表示した画像が徐々に拡大し、所定の拡大率までいくと今度は縮小していき標準サイズにもどる機能を有している。また、途中で押圧操作を止めることで、拡大または縮小の動作は停止してその表示倍率を保持する。この機能は制御回路３０によって制御されている。
【００３０】
例えば、入力キー１０の一定時間以上のＺ方向の押圧により画像が拡大され、途中で押圧操作を止めると、図７（ｂ）に示すように、拡大された表示が保持される。
そして、見たい部分へ移動させるために、入力キー１０の上に指を置いた状態で、画像を移動させたい方向に力を加える。
指でＸ，−Ｘ，Ｙ，−Ｙ方向のいずれかの方向に入力キー１０を押圧することで、圧力センサー２０にてその押圧力を検出し、制御回路３０の押圧方向判定部３１で方向を判定する。そして判定した方向に画像が移動するように制御回路３０がディスプレー４０に表示した画像を制御する。
ここではＸ方向に入力キー１０を押圧することで、図７（ｃ）に示すように、ディスプレー４０に表示した画像が移動し、押圧を緩めると画像の移動が停止する。
【００３１】
以上、本実施形態の入力装置１は入力キー１０が受け付ける互いに直交する３軸方向の圧力の方向に基づき、制御回路３０がディスプレー４０に表示する処理を行う。
このように、従来の入力キー１０に比べて、一つの入力キー１０に多数の機能を割り付けることが可能である。なお、入力キー１０が受け付ける圧力の方向に対する割り付ける機能は、実施形態の例に限らず、様々な機能を設定でき、電子機器などの小型化に対応した入力装置１を提供することができる。
なお、本実施形態では入力キー１０が受け付ける互いに直交する３軸方向の圧力を検出するようにしたが、互いに直交する２軸方向の圧力を検出してもよい。
（入力キーの変形例）
【００３２】
次に、入力キーの形状に関する変形例について説明する。
図８は入力キーの構成を示す模式図であり、図８（ａ）は平面図、図８（ｂ）は断面図、図８（ｃ）は圧力検出素子の分布を説明する平面図である。
入力キー１５は指先の形状に沿ったような凹部１６に形成されている。この凹部１６の表面は粘弾性体２８が設けられ、その下方には互いに直交する３軸方向の圧力を検出する圧力検出素子が配置され、入力キー１５と圧力センサーが一体となった構成である。また、圧力検出素子は図示しないが、図４で説明した構造の素子である。
【００３３】
このように、入力キー１５が指先の形状に沿ったような凹形状に形成されていることから、指で入力装置を操作する場合、凹形状内に指を固定することができ、指の滑りなどによる押圧操作の誤検出を防止することができる。
【００３４】
また、圧力センサーにおける圧力検出素子の分布において、各方向の圧力を検出する圧力検出素子の密度を変化させてもよい。
具体的には、図８（ｃ）に示すように、入力キーの操作において指先に相当する部分の領域１８ａでは、Ｘ方向の圧力を検出する圧力検出素子を多く配置し、指の両側に相当する部分の領域１８ｂでは、Ｙ方向の圧力を検出する圧力検出素子を多く配置する。さらに、指先の中央部に相当する部分の領域１８ｃでは、Ｘ方向の圧力を検出する圧力検出素子を多く配置する。
このようにすれば、それぞれの方向への指の押圧で力が多くかかる部分にその圧力方向を検出する圧力検出素子を配置でき、精度よく指の動作を捉えることができる。
（第２の実施形態）
【００３５】
次に入力装置の第２の実施形態について説明する。
本実施形態で特徴的なのは、第１の実施形態の動作に加えて入力キーの表面を押圧しながら移動するすべりについても、その移動する方向に対して機能を割り付ける点にある。
本実施形態でも入力装置を電子機器に利用し、ディスプレーに表示した画像に対する操作を例にとり図面に従って説明する。
【００３６】
図９は本実施形態の入力装置の構成を示す概略構成図である。
入力装置１０１は押圧操作を受け付ける入力器としての入力キー１１０と、入力キー１１０の押圧操作の圧力を検出する圧力検出器としての圧力センサー１２０と、情報を記憶する記憶器としての画像情報記憶回路１５０と、画像情報記憶回路１５０に記憶された情報を表示する表示器としてのディスプレー１４０と、画像情報記憶回路１５０から情報を読み出しディスプレー１４０に表示する処理を行う制御器としての制御回路１３０と、を備えている。
制御回路１３０には、押圧操作を受け付けた入力キー１１０に対応し圧力センサー１２０からの検出信号に応じて押圧方向を判定する押圧方向判定部１３１と、入力キー１１０の表面を押圧しながら移動する方向である、すべり方向を判定するすべり方向判定部１３２と、を備えている。
圧力センサー１２０は互いに直交する３軸方向の圧力を検出し、圧力のかかる方向に基づき制御回路１３０が処理を行う。
【００３７】
次に、本実施形態の特徴であるすべり方向の検出について説明する。
図１０はすべり方向の検出手順を示すフローチャートである。図１１はすべりの状態を示す模式図である。
本実施形態におけるすべりは、入力キーに対して指が入力キーの表面を押圧しながら移動する運動をいう。なお、圧力センサー１２０の構成は図３，４で説明した構成と同じであり説明を省略する。
【００３８】
すべりの検出には、図１０に示すように、まず各軸方向の圧力を検出する（ステップＳ１）。そして、検出された圧力中心を演算する（ステップＳ２）。次に圧力中心の移動を演算する（ステップＳ３）。そして、圧力中心の移動からすべり方向を算出する（ステップＳ４）。
ここで、圧力の中心とはそれぞれの方向での圧力が最も大きい点である。入力キー１１０の表面が押圧されてある方向に移動する場合、図１１（ａ）に示すように、最初の押圧部Ｃ１下方の圧力が最も大きく、移動に従い図１１（ｂ）に示すように、圧力の大きな部分がＣ１からＣ２に移動することになる。このＣ１からＣ２への移動方向を算出することで、すべり方向が検知できる。
【００３９】
図１２、図１３、図１４は入力キーへの操作を示す説明図である。
図１２はＸ軸方向のすべり操作であり、指で入力キー１１０を押圧しながら−Ｘ方向にすべらすことで、−Ｘ方向のすべりとして入力される。なお、Ｘ方向へ入力は入力キー１１０に逆の操作を行う。
図１３はＹ軸方向のすべり操作であり、指で入力キー１１０を押圧しながらＹ方向にすべらすことで、Ｙ方向のすべりとして入力される。なお、−Ｙ方向へ入力は入力キー１１０に逆の操作を行う。
このように、Ｘ，−Ｘ，Ｙ，−Ｙ方向のすべり操作に機能を割り付けることができ、一つの入力キーで多くの機能を割り付けることができる。
【００４０】
また、図１４に示すように、指で入力キー１１０を押圧しながら−Ｘ方向とＹ方向の間を斜めに動かすことで斜め方向のすべり操作も可能であり、さらに一つの入力キーで多くの機能を割り付けることができる。
【００４１】
このような入力装置を用いて、フォトビューワーなどの電子機器の画像表示操作の一例について説明する。
本実施形態では、第１の実施形態の動作に加えてすべり操作による機能が割り付けられている。このため、第１の実施形態で説明した操作を行うことができ、この操作は第１の実施形態と同様なため説明を省略する。
【００４２】
すべり操作による入力は、例えば、ディスプレー４０に画像が表示されているとき（図７（ａ）参照）、図１２（ａ）に示すように、入力キー１１０の表面をＺ方向に軽く押圧しながら−Ｘ方向にすべらす。
なお、Ｘ，Ｙ方向の押圧に対しても閾値が設けられ、すべり操作は閾値を超えない範囲での押圧に対応する。
入力キー１１０の押圧力は圧力センサー１２０で検出され、制御回路１３０の押圧方向判定部１３１により各軸方向の押圧の圧力が閾値を超えていないことを確認し、すべり方向判定部１３２でどちらの方向にすべり操作が行われたのかを判定する。
ここでは、−Ｘ方向のすべり操作に対しては次画像へのコマ送り機能が割り付けられているため、画像情報記憶回路１５０から情報を読み出してディスプレー１４０に次の画像を表示する。
また、反対にＸ方向のすべり操作に対しては前画像へのコマ送り機能が割り付けられている。
【００４３】
以上、本実施形態の入力装置１０１は、入力キー１１０上での押圧操作による圧力中心位置の移動をすべりとして判定し、そのすべりが発生した方向に基づき制御回路１３０がディスプレー１４０に表示切り替えの処理を行う。
このことから、入力キー１１０が受け付ける圧力の方向および、すべりが発生した方向に対して、それぞれ機能を割り付けることができ、一つの入力キーにさらに多数の機能を割り付けることが可能である。なお、入力キーが受け付ける圧力の方向に対する割り付ける機能は、実施形態の例に限らず、様々な機能を設定でき、電子機器などの小型化に対応した入力装置を提供することができる。
【００４４】
なお、実施形態ではフォトビューワーを例にとり説明したが、本入力装置は、他の小型電子機器においても利用が可能である。例えば、デジタルカメラ、小型ゲーム機、小型ナビゲーションシステム、電子書籍端末などの電子機器に上記の入力装置が利用できる。
【符号の説明】
【００４５】
１…入力装置、１０…入力器としての入力キー、１５…入力キー、１６…凹部、１８ａ，１８ｂ，１８ｃ…領域、２０…圧力検出器としての圧力センサー、２０ａ…圧力検出セル、２１，２２，２３…圧力検出素子、２１ａ，２２ａ，２３ａ…固定部、２１ｂ，２２ｂ，２３ｂ…可動部、２１ｃ…ヒンジ部、２５…圧力センサー、２８…粘弾性体、２９…信号処理部、３０…制御器としての制御回路、３１…押圧方向判定部、４０…表示器としてのディスプレー、５０…記憶器としての画像情報記憶回路、６０…電子機器、１０１…入力装置、１１０…入力器としての入力キー、１２０…圧力検出器としての圧力センサー、１３０…制御器としての制御回路、１３１…押圧方向判定部、１３２…すべり方向判定部、１４０…表示器としてのディスプレー、１５０…記憶器としての画像情報記憶回路。
【図１】
2011070260.tif 000003
【図２】
2011070260.tif 000004
【図３】
2011070260.tif 000005
【図４】
2011070260.tif 000006
【図５】
2011070260.tif 000007
【図６】
2011070260.tif 000008
【図７】
2011070260.tif 000009
【図８】
2011070260.tif 000010
【図９】
2011070260.tif 000011
【図１０】
2011070260.tif 000012
【図１１】
2011070260.tif 000013
【図１２】
2011070260.tif 000014
【図１３】
2011070260.tif 000015
【図１４】
2011070260.tif 000016